(57)【要約】【課題】本発明は、外観体裁の良好な椅子の背凭れ、およびそれを備えた椅子を提供する。【解決手段】本発明の椅子の背凭れは、着座者の背中を支持する前面を有する背凭れ本体と、前記背凭れ本体の後面側に配置される化粧構造体と、を備え、前記背凭れ本体の前記後面に、前面を対向させた状態で取り付けられる化粧部材と、前記背凭れ本体の前記後面と前記化粧部材の前記前面との間に配置された取付部材と、前記取付部材と前記化粧部材とを接合する接合部と、を備え、前記背凭れ本体および前記取付部材のうちのいずれか一方に設けられる係合部と、前記背凭れ本体および前記取付部材のうちのいずれか他方に設けられ、前記係合部が係合される被係合部と、を有している。【選択図】図１
2020062191.tif 000002
【特許請求の範囲】
【請求項１】
着座者の背中を支持する前面を有する背凭れ本体と、
前記背凭れ本体の後面側に配置され、前記背凭れ本体の前記後面に、前面を対向させた状態で取り付けられる化粧部材と、
前記背凭れ本体の前記後面と前記化粧部材の前記前面との間に配置された取付部材と、
前記取付部材と前記化粧部材とを接合する接合部と、を備え、
前記背凭れ本体および前記取付部材のうちのいずれか一方に設けられる係合部と、
前記背凭れ本体および前記取付部材のうちのいずれか他方に設けられ、前記係合部が係合される被係合部と、を有している、
椅子の背凭れ。
【請求項２】
前記化粧部材は、前記取付部材の後面側に配置され、前記取付部材の前記後面に前記前面を対向させた状態で取り付けられ、
前記取付部材の前記後面と前記化粧部材の前記前面とが前記接合部を介して面接合されている、
請求項１に記載の椅子の背凭れ。
【請求項３】
前記化粧部材は、前記接合部により、前記取付部材に対して取り外し可能に取り付けられている、
請求項１または２に記載の椅子の背凭れ。
【請求項４】
前記接合部が両面接着テープからなる、
請求項１から３のいずれか一項に記載の椅子の背凭れ。
【請求項５】
前記背凭れ本体は、当該背凭れ本体の前記前面を構成する面材と、前記面材が架設される外周枠部材と、を有している、
前記請求項１から４のいずれか一項に記載の椅子の背凭れ。
【請求項６】
請求項１から５のいずれか一項に記載の椅子の背凭れを備える、椅子。
【発明の詳細な説明】
【技術分野】
【０００１】
本発明は、椅子の背凭れ、およびそれを備えた椅子に関するものである。
【背景技術】
【０００２】
従来、椅子の背凭れの背面側に、背凭れ本体の表面を覆う化粧部材を備えた構成が知られている。
このような椅子として、化粧部材（カバー）に形成された係合部（係止爪）が、背凭れ本体（背杆）の背面に形成された被係合部（係合孔）に係合することで、背凭れ本体に支持された構成が開示されている（例えば、特許文献１）。上記の構成を採用することによって、背凭れ本体に対する化粧部材の位置ずれや脱落が防止されている。
【先行技術文献】
【特許文献】
【０００３】
【特許文献１】特開２００２−１３６３８８号公報
【発明の概要】
【発明が解決しようとする課題】
【０００４】
背凭れ本体の背面側に取り付けられる化粧部材は、その意匠において椅子の外観に大きな影響を与える部材であるため、優れたデザイン性が求められる。しかし、上記のように背凭れ本体との間の相互支持を確実にするために、化粧部材に係合部や被係合部を形成すると、それらの寸法や形状によっては、化粧部材の成型時にヒケが発生してしまうことがある。このヒケは、化粧部材の外観体裁を大きく損なわせてしまう要因になる。
【０００５】
本願発明は、上記の技術的課題に鑑みてなされたもので、外観体裁の良好な椅子の背凭れ、およびそれを備えた椅子を提供することを目的とする。
【課題を解決するための手段】
【０００６】
本発明の一態様における椅子の背凭れは、着座者の背中を支持する前面を有する背凭れ本体と、前記背凭れ本体の後面側に配置され、前記背凭れ本体の前記後面に前面を対向させた状態で取り付けられる化粧部材と、前記背凭れ本体の前記後面と前記化粧部材の前記前面との間に配置された取付部材と、前記取付部材と前記化粧部材とを接合する接合部と、を備え、前記背凭れ本体および前記取付部材のうちのいずれか一方に設けられる係合部と、前記背凭れ本体および前記取付部材のうちのいずれか他方に設けられ、前記係合部が係合される被係合部と、を有している。
【０００７】
この構成によれば、化粧部材を背凭れ本体に対して直接取り付けるのではなく、化粧部材および背凭れ本体とは別部材の取付部材を介して取り付ける構成のため、化粧部材の成型時に生じるヒケの発生を防ぐことができる。化粧部材に係合部あるいは被係合部を設けると、成型時にヒケが発生して外観を損なうおそれがあるが、本発明の構成によれば、化粧部材に係合部や被係合部を形成しなくて済むことから、見栄えのよい化粧部材が得られ、背凭れの外観体裁が良好になる。
【０００８】
本発明において、前記化粧部材は、前記取付部材の後面側に配置され、前記取付部材の前記後面に前記前面を対向させた状態で取り付けられ、前記取付部材の前記後面と前記化粧部材の前記前面とが前記接合部を介して面接合されている構成としてもよい。
【０００９】
この構成によれば、接合部によって、取付部材の後面と化粧部材の前面との間に凹凸を生じさせることなく、これらを良好に接合することができる。また、化粧部材の前面に、取付部材に接合するための凹凸を設ける必要がない。したがって、化粧部材におけるヒケの発生がより確実に防止され、化粧部材の見栄えがより一層良好となる。
【００１０】
本発明において、前記化粧部材は、前記接合部により、前記取付部材に対して取り外し可能に取り付けられている構成としてもよい。
【００１１】
この構成によれば、化粧部材を取り換えるだけで、背凭れの外観の印象を容易に変えることができる。化粧部材に対する外観デザインのアレンジが可能になるので、用途に応じてデザイン性の高い背凭れを提供することができる。
【００１２】
本発明において、前記接合部が両面接着テープからなる構成としてもよい。
【００１３】
この構成によれば、取付部材に対する化粧部材の取り外しを簡単に行うことができる。また、化粧部材の取り換えと同時に両面接着テープを新しくすることによって、接着強度を維持することができる。
【００１４】
本発明において、前記背凭れ本体は、当該背凭れ本体の前記前面を構成する面材と、前記面材が架設される外周枠部材と、を有している、前記構成としてもよい。
【００１５】
この構成によれば、背凭れ本体の前面が外周枠部材に張設された面材からなるため、着座者の背中を適度な弾力で支えることができる。
【００１６】
本発明の一態様における椅子は、上記の椅子の背凭れを備える。
【００１７】
この構成によれば、外観体裁が良好でデザイン性の高い背凭れを備えることにより、幅広い用途に適した椅子を提供することができる。
【発明の効果】
【００１８】
本発明によれば、外観体裁の良好な椅子の背凭れ、およびそれを備えた椅子を提供することができる。
【図面の簡単な説明】
【００１９】
【図１】図１は、実施形態の一態様における椅子の構成を示す正面図である。
【図２】図２は、実施形態の一態様における椅子の構成を示す背面図である。
【図３】図３は、実施形態の一態様における椅子の背凭れの構成を示す側面図である。
【図４】図４は、実施形態の一態様における背凭れ支持部材の周囲の構成を部分的に示す斜視図である。
【図５】図５は、実施形態の一態様における背凭れ支持部材の構成を示す斜視図である。
【図６】図６は、実施形態の一態様における取付部材の構成を示す斜視図である。
【発明を実施するための形態】
【００２０】
以下、添付図面を参照して、本発明における背凭れおよびそれを備えた椅子を実施するための形態を説明する。しかし、本発明はこの実施形態のみに限定されるものではない。なお、以下の各図面においては、各構成要素を見やすくするため、構成要素によって寸法の縮尺を異ならせて示すことがある。
【００２１】
以下の説明において、椅子の背凭れに背中を向けて正規姿勢で着座した人の正面を向く向きを「前」と呼び、それと逆側の向きを「後」と呼ぶものとする。また、椅子に正規姿勢で着座した人の上方を向く向きを「上」、それと逆側の向きを「下」と呼び、椅子に正規姿勢で着座した人の左方を「左」、右方を「右」と呼ぶこととする。また、椅子の左右方向を「幅方向」と呼ぶ。
【００２２】
また、図面においては、適宜３次元直交座標系としてＸＹＺ座標系を示す。ＸＹＺ座標系において、「Ｘ方向」は、図１に示す椅子の「幅方向」と平行な方向とする。「Ｚ方向」は、Ｘ方向と直交する方向であって図１の「上下方向」とする。「Ｙ方向」は、Ｘ方向とＺ方向との両方と直交する「前後方向」とする。
【００２３】
図１は、本実施形態の一態様における椅子の構成を示す正面図である。図２は、本実施形態の一態様における椅子の構成を示す背面図である。図３は、本実施形態の一態様における椅子の背凭れの構成を示す側面図である。図４は、本実施形態の一態様における背凭れ支持部材の周囲の構成を部分的に示す斜視図である。図５は、本実施形態の一態様における背凭れ支持部材の構成を示す斜視図である。図６は、本実施形態の一態様における取付部材の構成を示す斜視図である。
【００２４】
図１および図２に示すように、本実施形態の椅子１は、床面上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背中を支持する背凭れ６と、を備えている。
【００２５】
脚部２は、キャスタ７ａ付きの多岐脚７と、多岐脚７の中央部より起立し、昇降機構であるガススプリングを内蔵する脚柱８と、を備えている。
【００２６】
支基３は、脚柱８の上端部に取り付けられている。支基３には、脚柱８の昇降調整機構と背凭れ６の傾動調整機構が内蔵されている。
【００２７】
座体４は、図１に示すように、骨格部を成す座体外周枠本体部１３と、座体外周枠本体部１３に張設された座体用面材１４と、を有して備えている。
【００２８】
座体外周枠本体部１３は、例えば合成樹脂によって形成され、上面視では四隅が丸みを帯びた略長方形状とされている。座体外周枠本体部１３の外周縁部には、座体外周枠本体部１３の内方に向かって凹む溝１３ｍが周方向に連続して形成されている。
【００２９】
座体用面材１４は、多数の孔が形成されたメッシュ状であり、その外周端部が、座体外周枠本体部１３に形成された溝１３ｍに巻き込まれ、溝１３ｍ内に挿入される縁材によって座体外周枠本体部１３に固定されている。
【００３０】
背凭れ６は、座体４に着座した着座者の背中からの荷重を支持する。背凭れ６は、その一部が支基３内の傾動調整機構に連結されている。また、支基３には、傾動調整機構を操作するための操作ノブ１２が設けられており、この操作ノブ１２を着座者が操作することで、背凭れ６を前後方向（Ｙ方向）に傾動させるときの反力を調整することができる。
【００３１】
以下、本実施形態における背凭れの具体的な構成について説明する。
背凭れ６は、図１および図２に示すように、背凭れ本体２０と、化粧部材２３と、背凭れ支持部材２２、取付部材２４および接合部２５（図５）とを備えている。背凭れ本体２０は、背受面構成部２１と、背凭れ支持部材２２と、を備えている。
【００３２】
（背受面構成部）
背受面構成部２１は、図１および図２に示すように、背凭れ外周枠部材（外周枠部材）２８と、背凭れ外周枠部材２８に張設された背凭れ用面材２９と、を有して構成されている。
【００３３】
背凭れ外周枠部材２８は、幅方向（Ｘ方向）に離間した一対の縦杆２８ａ，２８ａと、上杆２８ｂと、下杆２８ｃと、を備えている。背凭れ外周枠部材２８は、これら縦杆２８ａ，２８ａ、上杆２８ｂ、下杆２８ｃにより、図１および図２に示したような環状の枠形状とされている。背凭れ外周枠部材２８は、例えば、樹脂、アルミ合金等により作製される。背凭れ外周枠部材２８の外周縁部には、背凭れ外周枠部材２８の内方に向かって凹む溝２８ｍ（図３）が周方向に連続して形成されている。
【００３４】
背凭れ用面材２９は、図１および図２に示すように、多数の孔が形成されたメッシュ状であり、その外周端部（不図示）が、図３に示す背凭れ外周枠部材２８に形成された溝２８ｍに巻き込まれ、溝２８ｍ内に挿入される縁材（不図示）によって背凭れ外周枠部材２８に固定されている。座体４に着座した着座者の背中は、背凭れ本体２０の前面２０ａ（図１）を構成する背凭れ用面材２９に接触する。背凭れ外周枠部材２８に布状の背凭れ用面材２９を帳設することにより、着座者の背中を適度な弾力で支持することができる。
【００３５】
（背凭れ支持部材）
図３および図４に示すように、背受面構成部２１の後面２１ｂ側には背凭れ支持部材２２が配置されている。背凭れ支持部材２２は、上述した背受面構成部２１を支持する。背受面構成部２１は、複数の締結具を介して背凭れ支持部材２２に固定されている。締結具は、例えば、留めネジとこれに螺合するナットとにより構成され、背凭れ支持部材２２と背凭れ外周枠部材２８とを締結する。留めネジは、図４に示した背凭れ外周枠部材２８の縦杆２８ａに形成された複数の固定孔２８ｇと、図５に示した背凭れ支持部材２２に形成された穴部２２ｇとに挿入される。なお、背受面構成部２１と背凭れ支持部材２２の取付け手段は、上述した締結具に限定されるものではない。背凭れ外周枠部材２８には、図４に示すように、固定孔２８ｇを隠すようにしてカバー部材１５が設けられている。
【００３６】
また、背凭れ支持部材２２は、座体４も支持する。背凭れ支持部材２２と座体４との取付け手段についての具体的な説明は省略するが、例えば、上述したような締結具を採用してもよい。
【００３７】
背凭れ支持部材２２は、図２に示すように、背凭れ外周枠部材２８の外形の一部に倣う形状とされている。背凭れ支持部材２２は、図２および図３に示すように、一対の側部２２Ａと、第１連結部２２Ｂと、第２連結部２２Ｃと、一対の延出部２２Ｄと、を有して構成されている。なお、図３においては、一方の側部２２Ａ、延出部２２Ｄの図示を省略している。
【００３８】
図２に示す背凭れ支持部材２２のうち、幅方向（Ｘ方向）に間隔をおいて存在する一対の側部２２Ａ，２２Ａが、背凭れ外周枠部材２８の縦杆２８ａ、２８ａにそれぞれ対向する。背凭れ支持部材２２は、上下方向（Ｚ方向）に延在する一対の側部２２Ａ，２２Ａと、これら側部２２Ａ，２２Ａの上端側を連結する第１連結部２２Ｂ（図３）と、下端側を連結する第２連結部２２Ｃ（図２および図３）とによって、その一部が、図２に示すように環状に形成されている。背凭れ支持部材２２の開口２２ｅからは、背受面構成部２１の背凭れ用面材２９が露出する。
【００３９】
また、背凭れ支持部材２２は、図３および図４に示すように、一対の側部２２Ａがその延在方向の所定の位置において屈曲されており、上記第２連結部２２Ｃと一対の延出部２２Ｄとが、図１および図２に示した座体４の下面側と対向する。
【００４０】
（化粧部材）
化粧部材２３は、図３および図４に示すように、背凭れ本体２０の後面２０ｂ（図２）側に配置され、後面２０ｂに前面２３ａを対向させた状態で背凭れ本体２０に設けられている。具体的に、化粧部材２３は、背凭れ支持部材２２に対してその後面２２ｂ（図５）の一部を覆うようにして取り付けられている。
【００４１】
化粧部材２３は、図２に示すように、一対の側部２３Ａ，２３Ａと、連結部２３Ｂと、を有して構成されている。幅方向（Ｘ方向）に離間した一対の側部２３Ａ，２３Ａは、それぞれ上下方向（Ｚ方向）に延在し、上端部どうしが幅方向に延在する連結部２３Ｂによって連結されている。化粧部材２３は、これら一対の側部２３Ａ、２３Ａと連結部２３Ｂとによって、下方に開放された形状を有する。化粧部材２３の一対の側部２３Ａ，２３Ａおよび連結部２３Ｂは、背凭れ支持部材２２の一対の側部２２Ａ，２２Ａおよび第１連結部２２Ｂにそれぞれ対向する。
【００４２】
化粧部材２３は、背凭れ支持部材２２の後面２２ｂ（図５）を隠すように取り付けられる。そのため、化粧部材２３は、椅子１を背面側から見たときに、化粧部材２３から背凭れ支持部材２２の後面２２ｂがはみ出して見えることのない大きさを有している。
【００４３】
また、化粧部材２３は、図３および図６に示すように、一対の側部２３Ａ，２３Ａの下端側が、背凭れ支持部材２２の側部２２Ａの屈曲形状に倣って湾曲している。このため、化粧部材２３を背凭れ支持部材２２に取り付けた状態において、化粧部材２３の一対の側部２３Ａ，２３Ａが背凭れ支持部材２２の側部２２Ａ，２２Ａの下側に入り込む。これにより、化粧部材２３によって、背凭れ支持部材２２の後面２２ｂを全体的にカバーすることができるため、椅子１の背面側の見栄えをよくすることができる。このような化粧部材２３は、図５に示す取付部材２４を介して背凭れ支持部材２２に取り付けられている。
【００４４】
（取付部材）
図５に示す取付部材２４は、背凭れ支持部材２２の後面２２ｂと、化粧部材２３の前面２３ａ（図４）との間に配置されている。取付部材２４は、図６に示すように、矩形状の平面部２４Ａと、一対の第１の係合凸部（係合部）１６Ａ，１６Ａと、一対の第２の係合凸部（係合部）１６Ｂ，１６Ｂとを有している。第１の係合凸部１６Ａ，１６Ａは、平面部２４Ａの幅方向一方側の長辺２４ａに配置され、平面部２４Ａの長さ方向に間隔をおいて配置されている。第２の係合凸部１６Ｂ，１６Ｂは、平面部２４Ａの幅方向における他方側の長辺２４ｂに配置され、平面部２４Ａの長さ方向に間隔をおいて配置されている。第１の係合凸部１６Ａ，１６Ａどうしの配置間隔は、第２の係合凸部１６Ｂ，１６Ｂどうしの配置間隔よりも狭く、第１の係合凸部１６Ａと第２の係合凸部１６Ｂとの位置関係が平面部２４Ａの長さ方向でずれている。
【００４５】
図５に示すように、上述した背凭れ支持部材２２には、取付部材２４の第１の係合凸部１６Ａ，１６Ａおよび第２の係合凸部１６Ｂ，１６Ｂに対応する、第１の係合凹部（被係合部）２２Ｊ，２２Ｊと第２の係合凹部（被係合部）２２Ｋ，２２Ｋが形成されている。このような背凭れ支持部材２２に対して取付部材２４が取り付けられる。その際、取付部材２４の第１の係合凸部１６Ａ，１６Ａが、背凭れ支持部材２２の第１の係合凹部２２Ｊ，２２Ｊに係合し、取付部材２４の第２の係合凸部１６Ｂ，１６Ｂが、背凭れ支持部材２２の第２の係合凹部２２Ｋ，２２Ｋに係合する。このようにして、取付部材２４は、背凭れ支持部材２２の後面２２ｂに、前面２４ｃ（図６）を対向させた状態で取り付けられる。
【００４６】
図６に示すように、取付部材２４の後面２４ｄには、化粧部材２３と取付部材２４とを接合するための接合部２５が設けられている。接合部２５は、例えば両面接着テープからなる。
【００４７】
上述した化粧部材２３は、接合部２５が設けられた取付部材２４の後面２４ｄ側に配置され、取付部材２４の後面２４ｄに前面２３ａ（図４）を対向させた状態で、取付部材２４に取り付けられる。このとき、取付部材２４の後面２４ｄと化粧部材２３の前面２３ａとが接合部２５を介して面接合される。本実施形態の化粧部材２３は、接合部２５により、取付部材２４に対して取り外し可能に取り付けられる。つまり、化粧部材２３は、背凭れ支持部材２２に対して取り外しが自在であり、適宜付け替えが可能である。
【００４８】
以上述べたように、本実施形態の背凭れ６を備えた椅子１は、取り外し可能な化粧部材２３を備えており、化粧部材２３を取り換えるだけで椅子１の外観を簡単に変えることができる。椅子１の外観は、化粧部材２３のデザインによって印象が変わってくる。そのため、必要に応じてデザインの異なる化粧部材２３に付け替えることによって、さまざまな用途に応じて最適なデザインを選択することができる。このように、外観デザインのアレンジが可能でデザイン性の高い背凭れ６を備えることにより、幅広い用途に適した椅子１を提供することができる。
【００４９】
また、本実施形態では、化粧部材２３を背凭れ支持部材２２に対して直接取り付けるのではなく、化粧部材２３および背凭れ支持部材２２とは別部材の取付部材２４を介して取り付ける構成のため、化粧部材２３は、背凭れ支持部材２２に取り付けるための係合手段（係合凸部あるいは係合凹部）を有していない。化粧部材２３に係合手段を設けると、成型時にヒケが発生して外観を損なうおそれがあるが、取付部材２４を用いることによって、化粧部材２３に係合手段を形成しなくて済む。そのため、化粧部材２３の前面２３ａ（図４）および後面２３ｂ（図３、図４）は凹凸のない平面になる。このような化粧部材２３によって、見栄えの良い化粧部材２３が得られ、背凭れ６の外観体裁が良好になる。
【００５０】
また、化粧部材２３は、両面接着テープからなる接合部２５により取付部材２４に取り付けられるため、化粧部材２３の前面２３ａと取付部材２４の後面２４ｄとの間に凹凸を生じさせることなく、これらを隙間なく止着することができる。このため、取付部材２４に対する化粧部材２３の接着強度が確保され、取付部材２４からの化粧部材２３の脱落を防ぐことができる。また、化粧部材２３の前面２３ａに、取付部材２４に接合するための凹凸を形成する必要もないため、化粧部材２３に対するヒケの発生がより確実に防止され、化粧部材２３の見栄えがより一層良好となる。これにより、外観体裁のさらに良好な椅子１の背凭れ６が得られる。
【００５１】
また、図５に示すように、背凭れ支持部材２２の軽量化のために肉抜き部２２ｆが形成されている場合、背凭れ支持部材２２の後面２２ｂに両面接着テープを貼り付ける領域を確保することが難しい。そのため、上述した板状の取付部材２４を用いることで、両面接着テープを貼り付ける領域を確保することができる。これにより、両面接着テープの面積を大きくすることができ、化粧部材２３を安定して保持するために必要な接着力が十分に得られる。
【００５２】
また、接合部２５として両面接着テープを用いることにより、取付部材２４に対して化粧部材２３を簡単に取りつけることができるとともに、取付部材２４から取り外す際も、工具を使うことなく簡単に取り外しが行える。また、化粧部材２３の付け替えと同時に、両面接着テープを新しくすることができるので、化粧部材２３を何度も取り替えたとしても接着力が確保され、接合部２５としての接合強度を長期的に維持することができる。
【００５３】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００５４】
上述の実施形態では、取付部材２４側に係合凸部（係合部）が設けられ、背凭れ支持部材２２側に係合凹部（被係合部）が設けられた構成となっているが、これに限らない。たとえば、取付部材２４側に係合凹部を設け、背凭れ支持部材２２側に係合凸部を設けた構成としてもよい。
【００５５】
また、上述の実施形態では、接合部２５として両面接着テープを用いたが、これに限定されるものではなく、取付部材２４に対して化粧部材２３を取り外し可能に固定できるものであれば、面ファスナーなど、他の接合材料を用いてもよい。
【符号の説明】
【００５６】
１…椅子、１４…座体用面材、２０…背凭れ本体、２０ａ…背凭れ本体の前面、２０ｂ…背凭れ本体の後面、２１…背受面構成部、２１ｂ…背受面構成部の後面、２２…背凭れ支持部材、２２ｂ…背凭れ支持部材の後面、２３…化粧部材、２３ａ…化粧部材の前面、２４…取付部材、２４ｄ…、取付部材の後面、２５…接合部、１６Ｂ…第１の係合凸部（係合部）、２２Ｊ…第１の係合凹部（被係合部）、２２Ｋ…第２の係合凹部（被係合部）、２８…背凭れ外周枠部材（外周枠部材）、２９…背凭れ用面材（面材）
【図１】
2020062191.tif 000003
【図２】
2020062191.tif 000004
【図３】
2020062191.tif 000005
【図４】
2020062191.tif 000006
【図５】
2020062191.tif 000007
【図６】
2020062191.tif 000008